(57)【要約】【課題】光ファイバーを用い自然に存在する変動に近い動き（揺れ）と光の漏出によって癒し効果を高められる装飾置物を提供することを課題とする。【解決手段】装飾体４は、異なる長さの複数の可撓性の光ファイバー３を集束した集束部６と、集束部６の基端部６ａを収容した非透光性の筒部７と有している。装飾体４の筒部７は、容器２内上部の連結部８に設けた支持軸９に回動可能に枢支されている。モータ５の回転運動を往復運動に変換する揺動機構１１を設けて装飾体４を所定の周期で揺動するようにしている。筒部７内には、集束部６の基端部６ａに対向して発光素子１０を配置している。【選択図】図１
2005231260.tif 000002
【特許請求の範囲】
【請求項１】
可撓性の光ファイバーを複数含む装飾体と、
その装飾体を揺動可能に枢支する支持手段と、
前記装飾体を所定の周期で駆動する駆動手段と、
前記光ファイバーを集束した基端部側へ配置された光源と、を備え、
前記装飾体の先端側において、前記駆動手段の駆動により前記複数の光ファイバーに揺れが付与され自身の可撓性と相俟って揺れ状態を発生するとともに、光源からの光を外部に放出することを特徴とする装飾置物。
【請求項２】
前記装飾体は、異なる長さの複数の光ファイバーを含み、それら光ファイバーの集束部分から先端側において、それら光ファイバーの長さ方向に所定加工により光が漏出可能な光漏出部を形成したことを特徴とする請求項１記載の装飾置物。
【請求項３】
前記複数の光ファイバーは、前記長さ方向の異なる位置に前記光漏出部が形成されたことを特徴とする請求項２記載の装飾置物。
【請求項４】
前記複数の光ファイバーの先端には錘部材を設けたことを特徴とする請求項１ないし３のいずれか１項に記載の装飾置物。
【請求項５】
前記錘部材は、前記複数の光ファイバー端面を被覆するように設けたことを特徴とする請求項４記載の装飾置物。
【請求項６】
前記光ファイバーを集束した基端部と前記光源との間に、前記光源からの光の発光色を変化させる変色手段を備えたことを特徴とする請求項１ないし５のいずれか１項に記載の装飾置物。
【請求項７】
前記光源は、発光色の異なる複数の発光体が配置されていることを特徴とする請求項１ないし６のいずれか１項に記載の装飾置物。
【請求項８】
前記複数の発光体は、赤色、緑色及び青色の発光ダイオードを含むことを特徴とする請求項７記載の装飾置物。
【請求項９】
前記駆動手段は、電池で作動する直流モータと、その直流モータの回転運動を所定の周期の往復運動に変換する変換手段と、を備えることを特徴とする請求項１ないし８のいずれか１項に記載の装飾置物。
【請求項１０】
可撓性の光ファイバーを複数含む装飾体と、
その装飾体を揺動可能に枢支する支持手段と、
所定の周期で駆動され前記装飾体に向けて送風する送風手段と、
前記光ファイバーを集束した基端部側へ配置された光源と、を備え、
前記装飾体の先端側において、前記送風手段からの送風を受けて前記複数の光ファイバーに揺れが付与され自身の可撓性と相俟って揺れ状態を発生するとともに、光源からの光を外部に放出することを特徴とする装飾置物。
【請求項１１】
可撓性の光ファイバーを複数含む装飾体と、
その装飾体を揺動可能に枢支する支持手段と、
前記装飾体の一端に固定された振り子用錘と、
前記光ファイバーを集束した基端部側へ配置された光源と、を備え、
前記装飾体の先端側において、前記振り子用錘の揺動によって前記複数の光ファイバーに揺れが付与され自身の可撓性と相俟って揺れ状態を発生するとともに、光源からの光を外部に放出することを特徴とする装飾置物。
【発明の詳細な説明】
【技術分野】
【０００１】
本発明は、光ファイバーを用いた装飾置物に関する。
【背景技術】
【０００２】
従来、光ファイバーの発光により装飾性を高めた置物として、クリスマスツリーはじめ種々のものがある。また、近年、「ゆらぎ」と呼ばれ、そよ風、川のせせらぎなど、自然に存在する心地良い変動現象の持つ「癒し効果」が注目を浴びている。これらを応用した装飾置物も数多くある。例えば発光の演出によってホタルが飛行しながら発光する様子を再現している提案がある（特許文献１参照）。
【０００３】
【特許文献１】実用新案登録第３０６５１０８号公報
【発明の開示】
【発明が解決しようとする課題】
【０００４】
しかしながら、特許文献１においては発光部を取付けた支持棒は自身で撓む性質を有しない剛体であり、自由な動きを発生し得ない。支持棒を駆動する駆動手段を設けて動くようにしているが、自然に近い動きを呈するとは言い難い。
【０００５】
本発明は上記した背景をもとになされたもので、光ファイバーを用い自然に存在する変動に近い動き（揺れ）と光の漏出によって癒し効果を高められる装飾置物を提供することを課題とする。
【課題を解決するための手段及び発明の効果】
【０００６】
上記課題を解決するために本発明装飾置物は、可撓性の光ファイバーを複数含む装飾体と、
その装飾体を揺動可能に枢支する支持手段と、
装飾体を所定の周期で駆動する駆動手段と、
光ファイバーを集束した基端部側へ配置された光源と、を備え、
装飾体の先端側において、駆動手段の駆動により複数の光ファイバーに揺れが付与され自身の可撓性と相俟って揺れ状態を発生するとともに、光源からの光を外部に放出することを特徴とする。
【０００７】
上記本発明の装飾置物は、装飾体に所定の周期（例えば自然に近い癒しを感じる変動周期；ゆらぎ周期）の揺動を与えることによって、複数の光ファイバーに揺れを付与し光ファイバー自身の可撓性と相俟って自然な揺れ状態を発生させ、あたかも自然の「すすき」が風に吹かれて揺れている様子を呈することが可能となるとともに、揺れながら光を放出し、その動きと光とにより見る人に安らぎ感を与え、癒し効果を高められる。さらに、この装飾置物を寝室等に置くことにより安眠を誘う効果も期待できる。
【０００８】
光ファイバーの可撓性の程度については、撓み易いものが望ましく、撓みにくいものは好ましくない。光ファイバーの材質、太さについて、撓み易いものを選択することができる。
【０００９】
このような装飾置物では、装飾体を異なる長さの複数の光ファイバーを含み構成でき、それら光ファイバーの集束部分から先端側において、それら光ファイバーの長さ方向に所定加工により光が漏出可能な光漏出部を形成することができる。
また、複数の光ファイバーには、長さ方向の異なる位置に光漏出部を形成することができる。
【００１０】
このように、光ファイバーの長さ方向に所定の加工（例えば切欠、溝、その他の光の経路を分断する光界面を形成する加工又は曲げ加工）をして光を漏出する光漏出部を設けており、自然に揺れながら光る状態を呈する。また、光ファイバーの先端で光らせたり、中間で光らせたり、光漏出部の形成する位置を種々組合せて装飾体を光らせることができ、種々の光の演出が可能となる。さらに、光ファイバーの長さも異なり、装飾置物として花瓶などに入れれば、自然な感じで垂れ、あたかも「すすき」の穂のように自然のイメージを作ることが可能である。
【００１１】
一方、このような装飾置物では、複数の光ファイバーの先端には錘部材を設けることができる。また、錘部材が、複数の光ファイバー端面を被覆するようにできる。
【００１２】
このように、光ファイバーに錘部材（例えば金属、木製）を付けることによって錘部材の重さが加わった大きな揺れを作ることができ、光ファイバー自体が揺れることで自然な揺れで揺らすことができる。また、錘部材が光ファイバー端面を被っており、光が外に逃げるのを防ぎ、中間部分から出る光の光量を上げることができる。
【００１３】
このような装飾置物では、光ファイバーを集束した基端部と光源との間に光源からの光の発光色を変化させる変色手段を備えることができる。また、光源に、発光色の異なる複数の発光体を配置することができる。さらに、複数の発光体は、赤色、緑色及び青色の発光ダイオードを含み構成できる。このように、光ファイバーから放出する光の色を変化させ、より装飾性を高めることができる。
【００１４】
さらに、このような装飾置物では、駆動手段に、電池で作動する直流モータと、その直流モータの回転運動を所定の周期の往復運動に変換する変換手段と、を備えることができ、装飾体の駆動手段として直流モータを使い、電源に電池を用いるようにすれば、持ち運びに優れ、コスト面も安価になり、安全で高齢者や障害者においても安心して使える。
【００１５】
また、上記のような課題を解決するために、本発明の装飾置物は、第二の態様として、
可撓性の光ファイバーを複数含む装飾体と、
その装飾体を揺動可能に枢支する支持手段と、
所定の周期で駆動され装飾体に向けて送風する送風手段と、
光ファイバーを集束した基端部側へ配置された光源と、を備え、
装飾体の先端側において、送風手段からの送風を受けて複数の光ファイバーに揺れが付与され自身の可撓性と相俟って揺れ状態を発生するとともに、光源からの光を外部に放出することを特徴とする。
【００１６】
このように、送風手段によって複数の光ファイバーに揺れを付与し光ファイバー自身の可撓性と相俟って自然な揺れ状態を発生させ、あたかも自然の「すすき」が風に吹かれて揺れている様子を呈することができる。その動きと光とにより見る人に安らぎ感を与え、癒し効果を奏することができる。
【００１７】
さらに、上記のような課題を解決するために、本発明の装飾置物は、第三の態様として、
可撓性の光ファイバーを複数含む装飾体と、
その装飾体を揺動可能に枢支する支持手段と、
装飾体の一端に固定された振り子用錘と、
光ファイバーを集束した基端部側へ配置された光源と、を備え、
装飾体の先端側において、振り子用錘の揺動によって複数の光ファイバーに揺れが付与され自身の可撓性と相俟って揺れ状態を発生するとともに、光源からの光を外部に放出することを特徴とする。
【００１８】
このように、振り子の揺れに伴う、光ファイバーの動きと光とによって見る人に安らぎ感を与え、癒し効果を奏することができる。
【発明を実施するための最良の形態】
【００１９】
（実施例１）
以下、本発明の実施の形態につき、図面に示す装飾置物の実施例を参照して説明する。図１は、本発明の装飾置物１の概略構成図である。図１に示す装飾置物１は、上方が開口した花瓶状の容器２と、異なる長さの複数の可撓性の光ファイバー３を含む装飾体４と、装飾体４を所定の周期で揺動する駆動源としてのモータ５（直流モータ）とを含み構成される。
【００２０】
装飾体４は、光ファイバー３を集束した集束部６と、集束部６の基端部６ａを収容した非透光性の筒部７と有している。装飾体４の筒部７の上部側面に一対の支持軸９（支持手段）が設けられている。容器２内上部の一対の連結部８にそれぞれ設けた軸受け部（図示しない）に支持軸９が挿入され、装飾体４が回動可能に枢支されている。筒部７内には、集束部６の基端部６ａに対向して発光素子１０（例えばＬＥＤ（発光ダイオード）；光源）を配置している。光ファイバー３としては、プラスチック製（例えばアクリル樹脂製）の０．１〜３ｍｍのものを用いることができ、０．７〜１．５ｍｍを使用するのが好ましい。
【００２１】
装飾体４を所定の周期で揺動する揺動機構１１（駆動手段）について説明する。揺動機構１１は、モータ５からの回転が伝動され、回転軸１２ａを中心に回転運動する円板状の伝動部材１２と、一端が伝動部材１２の偏心位置に設けられた伝動部材側回動軸１３に枢支されるとともに、他端が装飾体４の筒部７の下端位置に設けられた装飾体側回動軸１４に枢支された連接棒１５とを有している。モータ５の回転運動を往復運動に変換して装飾体４を揺動するようにしている。
【００２２】
容器２内の下部には、モータ５を制御するモータ制御回路を搭載したコントローラ１６と、発光素子１０の発光を制御する発光制御ＩＣ１７と、発光素子１０の点灯用及びモータ５駆動用として電源１８（電池）とを配設している。
【００２３】
コントローラ１６は、所定の周期で装飾体４を揺動するようにモータ５の回転数を制御する機能を有している。所定の周期としては、自然に近い癒しを感じる変動周期（ゆらぎ周期）が採用される。発光制御ＩＣ１７は、発光素子１０の点灯、消灯及びそのサイクル、光量を制御する機能を有している。
【００２４】
図２は光ファイバー３の要部拡大図である。図２（ａ）に示すように、複数の光ファイバー３には、長さ方向の異なる位置に切欠、溝、その他の光の経路を分断する光界面を形成する加工が施された光漏出部３ａを形成している。その光界面から光ファイバー３を通る光が外部に漏出するようにしている。光漏出部３ａは、光ファイバー３の長さ方向の部分的に形成されている。発光素子１０からの光はこの光漏出部３ａから一部が漏出し、残りは先端部に到達するように光量を確保するようにしている。
【００２５】
図２（ｂ）に示すように、光ファイバー３の先端部には金属製又は木製の錘部材２０を、光ファイバー３の端面を被覆するように固着している。錘部材２０の重さによって光ファイバー３の撓みを増し揺れを大きくするようにしている。また、錘部材２０によって光ファイバー３の端面を被って、先端から光が放出されるのを阻止し、光ファイバー３の長さ方向の中間部分から放出する光の光量を上げるようにしている。
【００２６】
図２（ｃ）に示すように、光ファイバー３の先端部近傍（導光系の下流側部分）が１２０度以下のなす角度で、特にこの例ではほぼ直角に（９０度近傍）曲げられ、その曲げ部３ｂより先端側（下流端側）の部分が、光ファイバー３の外周面から光を外部に漏洩させる光漏出部３ｃとされている。図２（ｄ）に示すように、例えば光ファイバー３をほぼ直角付近まで曲げると、その曲げ部３ｂに生じるひずみにより、光ファイバー３内を通る光の進路がそのひずみで変化し、曲げ部より下流側の光ファイバー部分（光漏出部３ｃ）において、その外周面から光が洩れるようになり（光ファイバー３の外周面（界面）に対する光の経路（角度）が臨界角を超え）、その結果として光漏出部３ｃが軸方向の全体にわたり発光するようになる。このように前述の光漏出部３ａ及びこの例の光漏出部３ｃから発光するようにできる。
【００２７】
次に、作動について説明する。モータ５が駆動され、揺動機構１１により装飾体４が支持軸９を中心に回動し、複数の光ファイバー３に所定の周期（自然に近い癒しを感じる変動周期；ゆらぎ周期）の揺動が付与される（図１参照）。この揺動により複数の光ファイバー３に揺れが付与され、自身の可撓性と相俟って自然な揺れ状態を発生する。光ファイバー３が「すすき」の穂を表現し、あたかも自然の「すすき」が風に吹かれて揺れている様子を呈することができる。そして、光ファイバー３の先端に取付けた錘部材２０によって錘部材２０の重さが加わった大きな揺れを作ることができる。このように光ファイバー３自体が揺れることで自然な揺れで揺らすことができる。
【００２８】
また、モータ５の駆動とともに、発光制御ＩＣ１７により発光素子１０の発光制御が行われ、光漏出部３ａ及び３ｃから光が漏出し、光ファイバー３が揺れながら光を放出する（図２参照）。光ファイバー３の先端で光らせたり、中間で光らせたり、光漏出部３ａの形成する位置を種々組合せて装飾体４を光らせることができ、種々の光の演出が可能となる。さらに、光ファイバー３の長さも異なり、装飾置物１を花瓶とすることにより、自然な感じで垂れ、あたかも「すすき」の穂のように自然のイメージを作ることができる。その動きと光とによって見る人に安らぎ感を与え、癒し効果を高められる。
【００２９】
なお、装飾体４の集束部６には葉模様の複数（実施例では２個）の可撓性材料よりなる装飾部材１９を設けている（図１参照）。「すすき」をイメージして装飾性を高めている。装飾体４の揺動により、装飾部材１９も揺れを発生するものである。
【００３０】
このような装飾置物を寝室等に置くことにより安眠を誘う効果も期待できる。また、直流モータ５と電池１８を使って構成しており、持ち運びも自由でかつ誰もが安心して使うことができる。従って、保育園、養護施設、老人ホーム及び病院などに設置すると好適である。
【００３１】
なお、予めモータ５の回転数を検出できるモータを使用し所定の周期で揺動するように回転数を調整するようにしてもよい。
【００３２】
（変形例１）
図３は装飾置物の変形例を示す。実施例１（図１）に次のような変形を加えている。この装飾置物５０では、モータの回転数を減速装置とクランク機構を用いてモータの回転数を調整し、装飾体４を所定周期で揺動するようにしている。揺動機構５１は、モータ５２によって駆動されるウォーム５３と、このウォーム５３に噛み合う第１ウォーム歯車５４と、この第１ウォーム歯車５４と回転軸５４ａを同じとする小歯車５４ｂと噛み合う第２歯車５５と、一端が第２歯車５５の回転軸５６（クランク軸）に固定されるとともに、他端がクランクピン５７を介して連接棒５８と連結されているクランク腕５９とを有している。連接棒５８の他端（クランクピン５７で枢支された側と反対側）は装飾体４の筒部７の下端位置に設けられた装飾体側回動軸１４に枢支されている。なお、図３において図１と共通する機能を有する部分には同一符号を付してある。これによって、モータ５２の回転数が減速されるとともに、回転運動が往復運動に変換され、装飾体４を所定の周期で揺動するようにしている。
【００３３】
（変形例２）
次に、図４は光源部分の変形例を示す。図４（ａ）に示すように、赤色、緑色及び青色のＬＥＤ（光の３原色の発光ダイオード）で発光素子１０１,１０２,１０３（発光体；光源）を構成してもよい。つまりＬＥＤの集合体で光源を構成している。これら発光素子１０１,１０２,１０３は、筒部７内における集束部６の基端部６ａに対向して配置され、発光制御ＩＣ１７を介して電源１８（電池）と接続されている。発光制御ＩＣ１７によって電流の配分により所望の色に光らせ、光ファイバー３から放出する光の色を変化させ、より装飾性を高めることができる。
【００３４】
（変形例３）
図４（ｂ）はさらに他の変形例を示し、集束部６の基端部６ａと発光素子１０との間に複数（例えば６個）の区画に色分け（例えば赤、緑、青、白（透明）など複数色）された円板状の透光性変色部材３０を配置し、モータ５からの伝動手段によって回転するように構成して、光ファイバー３から放出する光の色を変化させるようにしてもよい。
【００３５】
（実施例２）
図５は第２実施例の概略構成図である。図５に示すように、第２実施例の装飾置物１００では揺れを送風ファン４０によって発生させるようにしている。送風ファン４０は、容器２内上部の連結部８に、送風ファン４０の取付け面が容器２の内側中央に向かって低くなるように傾斜して固定されている。送風ファン４０の送風方向は、装飾体４の集束部６及び複数の光ファイバー３に対向している。容器２内下部には、送風ファン４０の「ＯＮ」、「ＯＦＦ」、送風強さの「強」、「弱」を制御する制御ＩＣ４１を配置している。なお、この制御ＩＣ４１は、発光素子１０（光源）の点灯、消灯及びそのサイクル、光量を制御する機能もあわせもつものである。複数の光ファイバー３には、長さ方向の異なる位置に切欠などの加工が施された光漏出部３ａ及び曲げ加工が施された光漏出部３ｃを形成している。光ファイバー３の先端部には金属製又は木製の錘部材２０を、光ファイバー３の端面を被覆するように固着している。なお、図５において図１と共通する機能を有する部分には同一符号を付してある。
【００３６】
制御ＩＣ４１によって所定周期に制御した信号を送風ファン４０に出力し、送風ファン４０を回転させ、光ファイバー３（及び集束部６）に直接風をあてることで、光ファイバー３に自然な揺れ状態を発生させる。つまり送風ファン４０の「ＯＮ」、「ＯＦＦ」及び送風強さを制御して、所定の周期（自然に近い癒しを感じる変動周期；ゆらぎ周期）で送風し、この送風で光ファイバー３に揺れが付与され自身の可撓性と相俟って自然な揺れ状態を発生させる。送風ファン４０の駆動とともに、制御ＩＣ４１により発光素子１０の発光制御が行われ、光ファイバー３の光漏出部３ａ及び３ｃから光が漏出し、光ファイバー３が揺れながら光を放出する。これによって、あたかも自然の「すすき」が風に吹かれて揺れている様子を呈することができる。その動きと光とにより見る人に安らぎ感を与え、癒し効果を奏することができる。
【００３７】
（変形例４）
図６は第２実施例における送風ファンの変形例を示す。実施例２（図５）に次のような変形を加えている。この装飾置物１５０では、装飾体４を挟んで一対の送風ファン４０ａ.４０ｂ（第１送風ファン４０ａ,第２送風ファン４０ｂ）を設けている。送風ファン４０ａ,４０ｂは、容器２内上部の連結部８に、送風ファン４０ａ,４０ｂの取付け面が容器２の内側中央に向かって低くなるようにそれぞれ傾斜して固定されている。送風ファン４０ａ,４０ｂの送風方向は、装飾体４の集束部６及び複数の光ファイバー３に対向している。容器２内下部には、送風ファン４０ａ,４０ｂの「ＯＮ」、「ＯＦＦ」、送風強さの「強」、「弱」を制御する制御ＩＣ４１を配置している。なお、図６において図５と共通する機能を有する部分には同一符号を付してある。
【００３８】
制御ＩＣ４１によって所定周期に制御した信号を送風ファン４０ａ,４０ｂに出力し、第１送風ファン４０ａ、第２送風ファン４０ｂを交互に駆動・停止をするようにして、光ファイバー３（及び集束部６）に一方側又は他方側から風をあてることで、光ファイバー３に自然な揺れ状態を発生させる。つまり第１送風ファン４０ａが「ＯＮ」の状態のときには、第２送風ファンを「ＯＦＦ」とし、一方第１送風ファン４０ａが「ＯＦＦ」の状態のときには、第２送風ファンを「ＯＮ」とし、あわせて送風強さも制御する。このように送風ファン２台によって一層確実に安定して光ファイバー３の揺れ状態を発生されることができる。なお、第１送風ファン４０ａ、第２送風ファン４０ｂのファンの回転を交互に反転させ、一方が吹き出しのときに、他方を吸い込みとし、又はその逆とするように送風ファン４０ａ,４０ｂを制御して揺れ状態を発生するようにしてもよい。
【００３９】
（実施例３）
図７は第３実施例の概略構成図である。図７に示すように、第３実施例の装飾置物２００では振り子用錘５０の揺動によって光ファイバー３に揺れを発生させるようにしている。装飾体４の筒部７の下端位置に球状の振り子用錘５０を固定している。つまり支持軸９により回動可能に枢支された装飾体４が振り子の機能を有している。容器２内の下部には、発光素子１０（光源）の点灯、消灯及びそのサイクル、光量を制御する発光制御ＩＣ１７を配置している。複数の光ファイバー３には、長さ方向の異なる位置に切欠などの加工が施された光漏出部３ａ及び曲げ加工が施された光漏出部３ｃを形成している。光ファイバー３の先端部には金属製又は木製の錘部材２０を、光ファイバー３の端面を被覆するように固着している。なお、図７において図１と共通する機能を有する部分には同一符号を付してある。
【００４０】
振り子用錘５０を手動により動かすことにより、光ファイバー３を直接揺らし、揺れ状態を発生させる。あわせて光ファイバー３の光漏出部３ａ及び３ｃから光が漏出し、光ファイバー３が揺れながら光を放出する。振り子の揺れに伴う、光ファイバー３の動きと光とによって見る人に安らぎ感を与え、癒し効果を奏することができる。
【図面の簡単な説明】
【００４１】
【図１】本発明の装飾置物の概略構成図。
【図２】光ファイバーの要部拡大図。
【図３】揺動機構の変形例を示す説明図。
【図４】光源部分の変形例を示す説明図。
【図５】第２実施例を示す概略構成図。
【図６】第２実施例の送風ファンの変形例を示す概略構成図。
【図７】第３実施例を示す概略構成図。
【符号の説明】
【００４２】
１    装飾置物
３    光ファイバー
３ａ,３ｃ  光漏出部
４    装飾体
５    直流モータ
６    集束部
６ａ  基端部
９    支持軸（支持手段）
１０, １０１,１０２,１０３  発光素子（光源）
１１,５１  揺動機構（駆動手段）
１２  伝動部材（変換手段）
１５  連接棒（変換手段）
１８  電池
２０  錘部材
３０  変色部材(変色手段)
４０,４０ａ,４０ｂ  送風ファン
５０  振り子用錘
【図１】
2005231260.tif 000003
【図２】
2005231260.tif 000004
【図３】
2005231260.tif 000005
【図４】
2005231260.tif 000006
【図５】
2005231260.tif 000007
【図６】
2005231260.tif 000008
【図７】
2005231260.tif 000009